(57)【特許請求の範囲】
【請求項１】
利用者が所定の楽曲を選択したときに、所定数の楽曲が格納されている楽曲格納手段より当該選択された楽曲を抽出して歌詞文字データを表示手段に表示させると共に、演奏データを出力させるカラオケ装置を備えるカラオケシステムであって、
所定数の宣伝アイテムが含まれた宣伝効果映像を所定数格納する宣伝効果映像格納手段と、
各楽曲について所定時間帯で演奏される頻度のランキングに対応する宣伝効果映像が所定数関連付けられた第１テーブル、及び各楽曲について一日毎若しくは曜日毎の所定時間帯で演奏されるランキングが関連付けられた第２テーブルを備え、前記演奏された楽曲及び当該楽曲の演奏時の時間帯に基づいて、上記第２テーブルより当該楽曲のランキングを特定し、特定されたランキングより上記第１テーブルを参照して宣伝効果映像を特定するものであり、特定した当該宣伝効果映像を前記宣伝効果映像格納手段より抽出させて背景映像として表示させるための映像抽出処理手段と、
を有することを特徴とするカラオケシステム。
【請求項２】
請求項１記載のカラオケシステムであって、前記映像抽出処理手段の備える前記第２テーブルは、所定期間内の一日単位若しくは曜日単位の所定時間帯で演奏された楽曲のデータを収集して楽曲毎に各時間帯の演奏頻度に応じたランキングを付し、当該楽曲と各時間帯のランキングとを関連付けて作成されることを特徴とするカラオケシステム。
【請求項３】
請求項２記載のカラオケシステムであって、前記第２テーブルは、所定期間毎に更新されることを特徴とするカラオケシステム。
【請求項４】
請求項２又は３記載のカラオケシステムであって、前記映像抽出処理手段の備える前記第２テーブルは、単一の前記カラオケ装置内における所定期間内の一日単位若しくは曜日単位の所定時間帯で演奏された楽曲のデータが収集されて作成されることを特徴とするカラオケシステム。
【請求項５】
請求項２又は３記載のカラオケシステムであって、前記映像抽出処理手段の備える前記第２テーブルは、前記カラオケ装置及び他の所定数のカラオケ装置群における所定期間内の一日単位若しくは曜日単位の所定時間帯で演奏された楽曲のデータが収集されて作成されることを特徴とするカラオケシステム。
【請求項６】
請求項１〜５の少なくとも何れかに記載のカラオケシステムであって、前記宣伝効果映像格納手段に格納されている宣伝効果映像は、前記楽曲格納手段に格納されているそれぞれの楽曲に対し、各楽曲に関連する映像中に前記宣伝アイテムを組み込ませているプロダクトプレイスメント映像であることを特徴とするカラオケシステム。
【請求項７】
請求項１〜５の少なくとも何れかに記載のカラオケシステムであって、前記宣伝効果映像格納手段に格納されている宣伝効果映像は、前記楽曲格納手段に格納されているそれぞれの楽曲に対し、各楽曲に関連する前記宣伝アイテムそのものの広告映像であることを特徴とするカラオケシステム。
【請求項８】
請求項１〜７の少なくとも何れかに記載のカラオケシステムであって、
前記宣伝効果映像格納手段の他に、前記楽曲格納手段に格納されているそれぞれの楽曲に関連する宣伝アイテムを含まない楽曲映像を複数格納する楽曲映像格納手段を備え、
前記映像抽出処理手段は、前記利用者に上記楽曲映像か前記宣伝効果映像かを選択させる映像選択手段を備え、選択された楽曲映像若しくは宣伝効果映像を背景映像として表示させることを特徴とするカラオケシステム。
【発明の詳細な説明】
【技術分野】
【０００１】
本発明は、利用者のカラオケによる歌唱の際に背景映像を表示させるカラオケシステムに関する。
【背景技術】
【０００２】
近年、通信カラオケの施設が全国的に広がりを見せ、記録技術の発展や表示装置の発展、また通信技術の発展により利用者に対して種々のサービスを提供することができるようになってきている。このようなカラオケシステムにおいては映像表示されることから特殊効果を図ることが可能であり、当該映像で広告宣伝することも行われてきている。そのため映像表示の視聴による映像内容についての宣伝効果の向上が望まれる。
【０００３】
従来、カラオケシステムにおける映像表示で特殊効果を図るものとして、広告映像がある。この広告映像は、単に商品等を表示させるもので、カラオケ利用者の歌唱しているときには、当該歌唱楽曲の背景映像を表示し、楽曲選択前、歌唱楽曲間に時間がある場合や総ての歌唱楽曲が終了した後に、当該広告映像を表示させるものが下記特許文献で提案されている。
【０００４】
【特許文献１】特開２０００−２９４７８号公報
【０００５】
上記特許文献１には、演奏休止期間に放映する広告映像番組の選出手法を有するカラオケ装置に関して、広告映像データベースに格納されている各広告映像番組に管理データとして種別データと頻度データとが対応付けられており、演奏休止期間に広告映像番組を放映する際に予約リストの楽曲登録状況を調べて放映機会の種別を認知し、上記種別データ及び頻度データに基づいて、種別に該当する広告映像番組の中から各頻度データに表現された放映頻度の相対的な差を反映するアルゴリズムに従って１つの番組を選出して放映することが提案されている。
【発明の開示】
【発明が解決しようとする課題】
【０００６】
ところで、上記特許文献１に提案されているカラオケ装置での広告映像の放映で広告依頼主の要望を叶えられるものであるが、さらに視聴数や宣伝効果の向上が望まれ、コストに見合った放映も望まれる。その際において、頻度データの更新が容易であることも望まれる。
【０００７】
そこで、本発明は上記課題に鑑みなされたもので、歌唱中であっても宣伝効果映像の内容を同伴者等の利用者に視聴させて宣伝効果を向上させると共に、宣伝効果映像の表示時間帯の要望やコストに見合った時間帯で、オペレータを煩わすことなく実情に即して宣伝効果映像の表示を可能とするカラオケシステムを提供することを目的とする。
【課題を解決するための手段】
【０００８】
上記課題を解決するために、請求項１の発明では、利用者が所定の楽曲を選択して演奏されるときに、所定数の楽曲が格納されている楽曲格納手段より当該選択された楽曲を抽出して歌詞文字データを表示手段に表示させると共に、演奏データを出力させるカラオケ装置を備えるカラオケシステムであって、所定数の宣伝アイテムが含まれた宣伝効果映像を所定数格納する宣伝効果映像格納手段と、各楽曲について所定時間帯で演奏される頻度のランキングに対応する宣伝効果映像が所定数関連付けられた第１テーブル、及び各楽曲について一日毎若しくは曜日毎の所定時間帯で演奏されるランキングが関連付けられた第２テーブルを備え、前記演奏された楽曲及び当該楽曲の演奏時の時間帯に基づいて、上記第２テーブルより当該楽曲のランキングを特定し、特定されたランキングより上記第１テーブルを参照して宣伝効果映像を特定するものであり、特定した当該宣伝効果映像を前記宣伝効果映像格納手段より抽出させて背景映像として表示させるための映像抽出処理手段と、を有する構成とする。
【０００９】
請求項２〜８の発明では、「前記映像抽出処理手段の備える前記第２テーブルは、所定期間内の一日単位若しくは曜日単位の所定時間帯で演奏された楽曲のデータを収集して楽曲毎に各時間帯の演奏頻度に応じたランキングを付し、当該楽曲と各時間帯のランキングとを関連付けて作成される」構成であり、
「前記第２テーブルは、所定期間毎に更新される」構成であり、
「前記映像抽出処理手段の備える前記第２テーブルは、単一の前記カラオケ装置内における所定期間内の一日単位若しくは曜日単位の所定時間帯で演奏された楽曲のデータが収集されて作成される」構成であり、
「前記映像抽出処理手段の備える前記第２テーブルは、前記カラオケ装置及び他の所定数のカラオケ装置群における所定期間内の一日単位若しくは曜日単位の所定時間帯で演奏された楽曲のデータが収集されて作成される」構成であり、
「前記宣伝効果映像格納手段に格納されている宣伝効果映像は、前記楽曲格納手段に格納されているそれぞれの楽曲に対し、各楽曲に関連する映像中に前記宣伝アイテムを組み込ませているプロダクトプレイスメント映像である」構成であり、
「前記宣伝効果映像格納手段に格納されている宣伝効果映像は、前記楽曲格納手段に格納されているそれぞれの楽曲に対し、各楽曲に関連する前記宣伝アイテムそのものの広告映像である」構成であり、
「前記宣伝効果映像格納手段の他に、前記楽曲格納手段に格納されているそれぞれの楽曲に関連する宣伝アイテムを含まない楽曲映像を複数格納する楽曲映像格納手段を備え、前記映像抽出処理手段は、前記利用者に上記楽曲映像か前記宣伝効果映像かを選択させる映像選択手段を備え、選択された楽曲映像若しくは宣伝効果映像を背景映像として表示させる」構成である。
【発明の効果】
【００１０】
本発明によれば、各楽曲について所定時間帯で演奏される頻度のランキングに対応する宣伝効果映像が所定数関連付けられた第１テーブル、及び各楽曲について一日毎若しくは曜日毎の所定時間帯で演奏されるランキングが関連付けられた更新自在な第２テーブルを備え、演奏された楽曲及び当該楽曲の演奏時の時間帯に基づいて、第２テーブルより特定されたランキングから第１テーブルで特定した当該楽曲対応の宣伝効果映像を背景映像として表示させる構成とすることにより、歌唱中であっても背景映像として宣伝効果映像の内容を同伴者等の利用者に視聴させることから宣伝効果を向上させることができると共に、宣伝効果映像の表示時間帯の要望やコストに見合った時間帯で、オペレータを煩わすことなく実情に即して宣伝効果映像を表示させることができるものである。
【発明を実施するための最良の形態】
【００１１】
以下、本発明の最良の実施形態を図により説明する。本実施形態では、宣伝効果映像としてプロダクトプレイスメント映像について説明するが、楽曲格納手段に格納されているそれぞれの楽曲に関連する宣伝アイテムそのものの広告映像であっても同様に適用することができるものである。
【００１２】
図１に、本発明に係るカラオケシステムにおける第１実施形態のネットワーク接続状況の模式図及び端末管理サーバのブロック構成図を示す。図１（Ａ）は本発明に係るカラオケシステムのネットワーク接続状況の模式図、図１（Ｂ）はカラオケホスト装置の内部構成の一例のブロック図である。
【００１３】
図１（Ａ）において、カラオケホスト装置１１は、通信ネットワーク１２を介して端末管理サーバ１３（１３Ａ〜１３Ｎ）を管理すると共に、当該端末管理サーバ１３にそれぞれ通信自在に接続された所定数のカラオケ演奏端末１４（１４Ａ〜１４Ｎ）を管理する。また、上記各端末管理サーバ１３は、接続されるそれぞれのカラオケ演奏端末１４を管理するもので、各カラオケ演奏端末１４は、利用者が所定の楽曲を選択したときに、所定数の楽曲データが格納されている後述の楽曲格納手段より当該選択された楽曲を抽出して歌詞文字データを後述の表示手段に表示させると共に、演奏データを出力させるカラオケ装置を備えるものである。本発明のカラオケシステムは、少なくとも単一のカラオケ演奏端末１４で構成され、又は、当該カラオケ演奏端末１４に単一の端末管理サーバ１３が含まれることで構成されるものである。
【００１４】
上記通信ネットワーク１２としては一般公衆電話回線やこれを用いたＡＤＳＬや光通信回線あるいはインターネット、さらには、ＬＡＮなどがある。上記端末管理サーバ１３は、ここでは一のカラオケ演奏端末１４及び他の所定数のカラオケ演奏端末１４群で所定の楽曲が演奏される時間を、所定期間中の各一日単位で収集し、当該演奏楽曲に対する時間帯別ランクテーブルを作成するもので、図１（Ｂ）に示すように、少なくとも送受信手段２１、制御手段２２、及び記憶部２３を備え、当該制御手段２２は演奏楽曲データ収集手段２４、時間帯管理手段２５及び時間帯別ランクテーブル作成手段２６を備える。上記送受信手段２１は、カラオケホスト装置１１及び管轄する所定のカラオケ演奏端末１４との通信（データ授受）を行うために、通信方式の整合性をとるための例えば物理的な通信用回路やプラットフォーム等のソフトウエアにより構成される。
【００１５】
上記制御手段２２は、当該端末管理サーバ１３を統括的に制御するもので、例えば物理的なＣＰＵに制御のためのプログラムが格納され、当該プログラムが図示しないＲＡＭ等に展開されて実行される。当該制御手段２２は、少なくとも演奏楽曲データ収集手段２４、時間帯管理手段２５及び時間帯別ランクテーブル作成手段２６を制御して時間帯別ランクテーブルを作成する。上記演奏楽曲データ収集手段２４は、上述のように一のカラオケ演奏端末１４及び他の所定数のカラオケ演奏端末１４群で演奏される楽曲の時間を、所定期間中の各一日単位で収集して記憶部２３に一旦記憶しておくものである。
【００１６】
上記時間帯管理手段２５は、上記収集した演奏楽曲の時間を、所定に区分した時間帯で特定する。そして、上記時間帯別ランクテーブル作成手段２６が、当該演奏時間帯が特定された各演奏楽曲を名寄せし、これに基づいて楽曲毎に各時間帯の演奏頻度に応じたランキングを付し、当該楽曲と各時間帯のランキングとを関連付けた時間帯別ランクテーブルを作成するものである（図４で説明する）。作成された時間帯別ランクテーブルは、送受信手段２１、通信ネットワーク１２を介して対応のカラオケ装置１４に送出されて、後述の第２テーブルとなる。また、制御手段２２による時間帯別ランクテーブルは、適宜、所定期間毎（例えば１ヶ月毎）に更新作成され、対応のカラオケ装置１４にその都度送信される。
【００１７】
続いて、図２に、図１のカラオケ演奏端末のブロック構成図を示す。図２に示すカラオケ演奏端末１４は、主要装置としてのカラオケ装置３０を有するもので、バス３１、制御手段３２、ＲＡＭ３３、予約管理記憶部３４、音楽曲出力手段３５、再生制御手段３６、楽曲ＤＢ（楽曲データベース）３７、宣伝効果映像格納手段である宣伝効果映像ＤＢ３８及び送受信手段３９，４０を適宜備え、また、当該カラオケ装置３０に有線及び無線で外部接続されるものとして、表示手段４１、ミキシングアンプ４２、マイク４３、スピーカ４４及び遠隔入出力端末４５を備える。なお、上記各構成について、本発明の要旨と直接関連しない要素部分であっても、従前のカラオケ装置においても大部分が適用可能であることを示すために、装置全体を説明する。
【００１８】
制御手段３２は、このシステムを統括的に制御するもので、例えば物理的なＣＰＵに制御のためのプログラムが格納され、当該プログラムはＲＡＭ３３等に展開されて実行される（図３で詳述する）。当該ＲＡＭ３３は、種々のプログラムを展開、実行させるための作業領域としての役割をするものであり、例えば半導体メモリで構成され、仮想的にハードディスク上に構築される場合をも含む概念である。
【００１９】
ここで、相前後するが、楽曲ＤＢ３７は、例えばハードディスク（ＨＤＤ）等の記憶装置であり、少なくとも、演奏データ（ファイル）及び映像データ（ファイル）で構成される楽曲データ（ファイル）について楽曲コードをファイル名としてそれぞれ備える。演奏データ（ファイル）はそれぞれの楽曲のデジタル的な演奏データであり、映像データ（ファイル）は演奏データに対応した楽曲の歌詞文字データである。
【００２０】
上記予約管理記憶部３４は、利用者が選択した楽曲名と対応する楽曲コードを記憶しておき、順番に歌唱対象とするもので、そのためのメモリ領域を備え、当該メモリ領域に記憶されるデータは上記制御手段３２により制御される。すなわち、選択された楽曲コードにより上記楽曲ＤＢ３７より曲名やインデックス等を読み出して記憶させておくもので、予約状況を表示させるときには曲名をも含められる。また、当該予約管理記憶部３４は、ここでは後述の映像抽出処理手段５２で特定された宣伝効果映像（ファイル名）が当該楽曲コードに関連付けられて記憶される。なお、この予約管理記憶部３４の機能を、制御手段３２の図示しない内部メモリに記憶させておくこととしてもよい。
【００２１】
上記音楽曲出力手段３５は、楽曲コードで楽曲ＤＢ３７より抽出された楽曲データをデジタル再生し、アナログ変換してミキシングアンプ４２に出力するもので、そのための回路基板等を備える。当該ミキシングアンプ４２は、マイク４３より入力した歌唱者の歌唱音声と、当該音楽曲出力手段３５より送られてくる演奏データをミキシングし、増幅してスピーカ４４より出力させるものである。
【００２２】
上記再生制御手段３６は、選択されて楽曲ＤＢ３７より抽出された楽曲データのうちの歌詞文字データを当該楽曲の演奏データに同期させて表示手段４１に出力すると共に、後述の映像抽出処理手段５２で特定された宣伝効果映像データを同期させて表示手段４１に出力するもので、そのための電子回路部を備える。当該表示手段４１としては例えば、ブラウン管（ＣＲＴ）ディスプレイ、液晶ディスプレイ（ＬＣＤ）、プラズマディスプレイ（ＰＤＰ）等があり、特にハイビジョン化されたディスプレイが宣伝効果映像を表示するものとして好ましい。
【００２３】
ここで、上記宣伝効果映像ＤＢ３８は、所定数の宣伝アイテムが含まれた宣伝効果映像を、上記楽曲ＤＢ３７に格納されている各楽曲（データファイル）に関連付けされて複数格納するもので、当該宣伝効果映像は、当該各楽曲に関連する映像中に宣伝アイテムを組み込ませているプロダクトプレイスメント映像である。このプロダクトプレイスメント映像は、従来から、映画やテレビジョン或いはゲームの映像内に、その映像の進行と調和するように、自然の流れの中で企業の商品やサービスを組み込む手法として採用されてきたものであって、利用者にとって違和感なく商品や役務（サービス）を視認して受け入れることができるため、効果的な手法となっているものである。
【００２４】
また、上記遠隔入出力端末４５はＧＵＩ機能を付帯し、楽曲検索手段４５Ａを備える。例えば液晶ディスプレイ（ＬＣＤ）とタッチセンサとを積層した入出力用の利用者インタフェイスが搭載され、当該タッチセンサにより楽曲の選択などのデータを入力することができるものである。上記楽曲検索手段４５Ａは、例えば新曲、歌手名、曲名、ジャンルおよび履歴のそれぞれについての各楽曲情報を備え、当該楽曲名と楽曲コードとが関連付けられたテーブルを備え、利用者によって検索、選択された楽曲コードを、送受信手段３９を介して予約管理記憶部３４に送信して予約させるものである。当該送受信手段３９は、遠隔入出力端末４５との間で有線方式ないし無線方式（ブルートゥース機構のピコネット接続方式）を利用してデータ授受を行うためのもので、そのための回路基板およびプログラムを備える。
【００２５】
そして、上記送受信手段４０は、当該カラオケ装置３０と上記端末管理サーバ１３とデータ授受を行うためのものであると共に、例えば遠隔入出力端末４５より所定のインターネットサイトにアクセスさせるためのもので、通信方式と整合性をとるための例えば物理的な通信用回路やプラットフォーム等のソフトウエアにより構成されるものである。
【００２６】
なお、図示しないが、当該カラオケ装置３０には、利用者による選択した楽曲の楽曲コードを直接入力するためのものや、演奏楽曲、歌唱音声に対する種々の調節を行うボタンやツマミ類が可変抵抗器等の電子素子に直結された操作パネルも接続され、当該操作パネルはエコーや左右バランス、スピーカ４４からの出力音量のボリウム等を備える。ところで、上記楽曲ＤＢ３７、宣伝効果映像ＤＢ３８の何れか、又は両方を、適宜カラオケホスト装置１１に備えさせ、若しくは当該カラオケホスト装置１１に接続させる構成としてもよいものである。
【００２７】
ここで、図３に、図２の制御手段のブロック構成図を示す。図２に示された制御手段３２は、制御プログラムで機能する表示ファイル作成手段５１及び映像抽出処理手段５２を備え、当該映像抽出処理手段５２においては、内部的に第１テーブル６１、第２テーブル６２、時間帯判別手段６３及び映像特定手段６４を備える。
【００２８】
上記表示ファイル作成手段５１は、送受信手段３９を介して当該カラオケ装置３０に付帯する遠隔入出力端末４５に対して試聴用の歌詞文字データや予約内容を表示させるためなどのファイルデータを作成して転送するためのものである。
【００２９】
上記映像抽出処理手段５２の第１テーブル６１は、各楽曲について所定時間帯で演奏される頻度のランキングに対応する宣伝効果映像が所定数関連付けられたもので、第２テーブル６２は各楽曲について一日毎若しくは曜日毎の所定時間帯で演奏されるランキングが関連付けられたものである（図５で説明する）。また、映像抽出処理手段５２の時間帯判別手段６３は、利用者に楽曲が選択されて演奏されたときの時間から当該時間帯を判別するものである。そして、上記映像抽出処理手段５２の映像特定手段６４は、演奏された楽曲及び当該楽曲の演奏時の時間帯に基づいて、第２テーブル６２（図５（Ｂ））より当該楽曲のランキングを特定し、特定されたランキングより第１テーブル６１（図５（Ａ））を参照して宣伝効果映像を特定するものである。
【００３０】
すなわち、上記映像抽出処理手段５２は、演奏された楽曲及び当該楽曲の演奏時に対して時間帯判別手段６３で判別した時間帯に基づいて、映像特定手段６４が第２テーブル６２より当該楽曲のランキングを特定し、特定されたランキングより第１テーブル６１を参照して宣伝効果映像を特定するものであり、特定した当該宣伝効果映像を宣伝効果映像格納ＤＢ３８より抽出させて背景映像として表示させるものである。
【００３１】
ここで、図４に、図１の端末管理サーバで作成される時間帯別ランクテーブルの説明図を示す。図４において、端末管理サーバ１３では、管轄するカラオケ演奏端末１４群で演奏された楽曲及びその演奏の時間をそれぞれ演奏楽曲データ収集手段２４が収集した楽曲毎に演奏された時間より時間帯管理手段６３が予め定めた時間帯を特定する（図４の左側部分）。時間帯としては、ここでは、１２〜１６時、１６〜１８時、１８〜２０時、２０〜２３時及び２３〜０５時のように、利用者層（客層）に応じて設定したものであるが、適宜時間帯を区分することができる。
【００３２】
そして、上記端末管理サーバ１３の時間帯別ランクテーブル作成手段２６が、上記収集した時間帯が関連付けられたそれぞれの楽曲を名寄せし、所定期間（例えば、３日間、一週間等）内で一日単位毎に演奏された楽曲（楽曲コード）が一日のうちのどの時間帯であるかに基づいて楽曲毎に各時間帯の演奏頻度に応じたランキングを付し、当該楽曲と各時間帯のランキングとを関連付けて時間帯別ランクテーブルを作成するもので（図４の右側部分）、この時間帯別ランクテーブルが、適宜、所定期間毎（例えば１ヶ月毎）に更新される。
【００３３】
また、図５に制御手段の備える映像抽出処理手段の第１テーブル及び第２テーブルの一例の説明図を示すと共に、図６に図５の第１テーブル作成の一例の説明図を示す。図５（Ａ）は映像抽出処理手段の備える第１テーブルの概念図、図５（Ｂ）は映像抽出処理手段の備える第２テーブルの概念図、図６は上記第１テーブルを作成するにあたっての一例の概念図である。
【００３４】
図５（Ａ）に示す第１テーブル６１は、楽曲ＤＢ３７に格納されている楽曲データ（ファイル）に対応する楽曲コードと、当該楽曲データに関連付けられた所定数の宣伝効果映像のデータファイルとの対応テーブルであり、各宣伝効果映像ファイルの楽曲との関連性としては、例えば楽曲のアーチスト、当該アーチストの年齢、曲のジャンル、当該曲を聞く（又は歌唱する）年齢等から対応された年齢層や性別で関連付けられる。これらの関連性に関連した宣伝アイテムを組み込ませた宣伝効果映像（プロダクトプレイスメント映像）が楽曲（楽曲コード）に対応された内容で予め表示順位（ランキングであり、ここではＡランクよりＥランクまでとしている）に複数作製され、宣伝効果映像データ（ファイル）として宣伝効果映像ＤＢ３８に格納しておくものである。
【００３５】
上記第１テーブル６１は、図６に示すように、例えば楽曲コードの楽曲内容に関連付けられた所定数の宣伝対象アイテムを特定し、これら宣伝対象アイテムが組み込まれた宣伝効果映像データ（ファイル）を上記ランク数に応じて複数作製しておくものである。上記宣伝アイテムの対象としては、例えば、商品（ロゴ入り商品自体）、役務（サービス表示のロゴ）、店、旅館・ホテル、企業（看板等）又は一地域（〜通りや町名、観光地等）名称（知名度向上目的）、出演者の新曲や出演映画・ドラマのタイトル（知名度向上目的）、出演者自身の名称、略称、雅号等（知名度向上目的）などがある。
【００３６】
図５（Ｂ）に示す第２テーブル６２は、上記同様の時間帯別ランクテーブルであり、上記端末管理サーバ１３の時間帯別ランクテーブル作成手段２６で作成された時間帯別ランクテーブルを、当該対応の端末管理サーバ１３より取得して記憶されるものである。当該第２テーブル６２は、端末管理サーバ１３の時間帯別ランクテーブル作成手段２６で時間帯別ランクテーブルが更新されれば、当該端末管理サーバ１３からの例えば自動取得によって更新されるものである。すなわち、当該第２テーブル６２は、当該端末管理サーバ１３が管轄する所定数のカラオケ演奏端末１４で所定期間内に演奏された楽曲（楽曲コード）と演奏された時の時間帯のランキング（Ａ〜Ｅ）とが関連付けられたものである。
【００３７】
そこで、図７に、図１の端末管理サーバにおける時間帯別ランクテーブル作成の処理フローチャートを示す。図７において、端末管理サーバ１３の制御手段２２では、演奏楽曲データ収集手段２４が、演奏楽曲のデータ取得時機が到来（例えば、データ取得時機を設定しておく）すると（ステップ（Ｓ）１１）、管轄のカラオケ演奏端末１４及び他の所定数のカラオケ演奏端末１４で演奏された楽曲（楽曲コード）と、演奏楽曲日時データとをそれぞれ収集して、一旦記憶手段２３に記憶する（Ｓ１２）。このデータ収集の期間（例えば１週間）で収集を繰り返す。
【００３８】
上記データ収集の期間（例えば上記１週間）経過後に（Ｓ１３）、時間帯管理手段２５が、収集した演奏楽曲の演奏された時間から一日のうちの定めた時間帯（例えば、図４の時間帯）で特定する（Ｓ１４）。そして、時間帯別ランクテーブル作成手段２６が、各楽曲を名寄せし、楽曲毎に上記特定した時間帯毎のデータに基づいて所定期間（例えば上記１週間）内におけるそれぞれの一日の時間帯毎に演奏された時間帯毎のランキングを特定し、当該楽曲コードと各時間帯に対するランキングとを関連付けた図４に示す時間帯別ランクテーブルを作成し、又は更新して、記憶部２３に記憶すると共に、対応のカラオケ演奏端末１４に送出する（Ｓ１５）。例えば、１ヶ月毎で上記処理によって時間帯別ランクテーブルを更新していくものである。カラオケ演奏端末１４における制御手段３２の映像抽出処理手段５２では、送られてきた時間帯別ランクテーブルを、第２テーブル６２として備えるものである。
【００３９】
続いて、図８に、図２のカラオケ演奏端末における宣伝効果映像再生の処理フローチャートを示す。図８においては、映像抽出処理手段５２において端末管理サーバ１３から送出されてきた図５（Ｂ）に示すような第２テーブル６２を取得していることを前提としている。
【００４０】
まず、遠隔入出力端末４５などにより当該利用者による楽曲の選択要求があり（Ｓ２１）、楽曲の選択が終了すると（Ｓ２２）、映像抽出処理手段５２の時間帯判別手段６３が楽曲演奏時の時間から時間帯を特定する（Ｓ２３）。映像特定手段６４が選択された楽曲コードにおける特定された時間帯に基づいて、第２テーブル６２を参照して、当該時間帯におけるランキングを特定し、特定したランキングに基づき、第１テーブル６１を参照して選択楽曲対応の宣伝効果映像ファイルを特定する（Ｓ２４）。そして、当該特定された宣伝効果映像ファイルを、予約管理記憶部３４が、演奏された楽曲コードと共に、予約順番で記憶しておく（Ｓ２５）。
【００４１】
そこで、予約の順番から選択された楽曲の再生を行う場合（Ｓ２６）、予約管理記憶部３４に記憶されている楽曲コードに基づいて、該当の楽曲データが楽曲ＤＢ３７より抽出され、演奏データが音楽曲出力手段３５に送出されると共に、歌詞文字データが再生制御手段３６に送出され、また、記憶された宣伝効果映像ファイル（ファイル名）に基づいて宣伝効果映像ＤＢ３８より宣伝効果映像のデータを抽出して再生制御手段３６に送出する（Ｓ２７）。
【００４２】
そして、選択された楽曲データがミキシングアンプ４２を介してスピーカ４４より再生出力されると共に、これに同期させて再生制御手段３６が、該当の宣伝効果映像データを上記歌詞文字データに合成させた状態で背景映像として表示手段４１より再生させるものである（Ｓ２８）。
【００４３】
このように、歌唱中であっても歌唱用の表示手段４１に背景映像として宣伝効果映像を表示させて同伴者等の利用者に高確率で視聴させることができ、映像中に含まれる宣伝アイテムについての宣伝効果を向上させることができる。また、第２テーブル６２は、所定期間内の一日単位若しくは曜日単位の所定時間帯で演奏された楽曲のデータが収集されて楽曲毎に各時間帯の演奏頻度に応じたランキングが付され、当該楽曲と各時間帯のランキングとが関連付けられて所定期間毎に自動的に更新して作成されることから、宣伝広告依頼主による宣伝効果映像の表示時間帯の要望やコストに見合った時間帯で、オペレータを煩わすことなく実情に即して宣伝効果映像を表示させることができるものである。
【００４４】
次に、図９に、本発明に係るカラオケシステムにおけるカラオケ演奏端末の第２実施形態における制御手段のブロック構成図を示す。上記第１実施形態では、端末管理サーバ１３が時間帯別ランクテーブルを作成するために該当の楽曲及びその演奏された時間のデータを収集する場合を示したが、本実施形態では、単一のカラオケシステムにおける当該カラオケ演奏端末（カラオケ装置３０）が、当該カラオケ装置３０で演奏された楽曲コードと、演奏楽曲日時データを、所定期間中の各一日単位でそれぞれ収集して、上記第２テーブル６２を作成するものである。
【００４５】
そのために、図９に示すように、図３の制御手段３２において、映像抽出処理手段５２が演奏楽曲データ収集手段７１及びテーブル作成手段７２を備えるものである。この場合、上記時間判別手段６３は、上記機能の他に、第２テーブル６２を作成する際に、上記収集した楽曲の演奏された時間を、所定に区分した時間帯で特定する機能をも有するものである。上記演奏楽曲データ収集手段７１は、本カラオケ装置３０で演奏された楽曲及び演奏された時間を、所定期間（例えば、１週間）中の各一日単位で収集して記憶しておくものである。また、上記テーブル作成手段７２は、演奏楽曲データ収集手段７１で収集したデータ及び時間帯判別手段６３で判別した時間帯に基づいて図５（Ｂ）に示すような第２テーブル６２を作成するものである。
【００４６】
そこで、図１０に、図９の制御手段における第２テーブル作成の処理フローチャートを示す。図１０において、まず、演奏楽曲のデータ取得時機が到来（例えば、データ取得時機を設定しておく）すると（Ｓ３１）、上記演奏楽曲データ収集手段７１が、本システムのカラオケ演奏端末１４（カラオケ装置３０）内で演奏された楽曲コードと、演奏楽曲日時データとをそれぞれ収集して、例えばＲＡＭ３３に記憶する（Ｓ３２）。このデータ収集が上記所定期間内で行われ（Ｓ３３）、所定期間経過後に、時間帯判別手段６３が収集した演奏楽曲日時データを日毎の所定の時間帯で分類し、当該演奏された楽曲コードに関連付ける（Ｓ３４）。
【００４７】
そして、上記テーブル作成手段７２が、演奏された各楽曲を名寄せし、楽曲コード毎に演奏された時間帯毎のランキングを特定し、当該楽曲コードと各時間帯に対するランキングとを関連付けた第２テーブル６２を作成する（Ｓ３５）。例えば、１ヶ月毎に演奏楽曲データ収集記憶手段７１が演奏楽曲データを収集する場合には、その都度当該第２テーブル６２を更新していくものである。なお、適応の宣伝効果映像再生については、図８と同様である。
【００４８】
このような構成であっても、単一の当該カラオケ演奏端末１４（カラオケ装置３０）内で再生表示される宣伝効果映像による上記同様の効果を奏するものであり、特に単一のカラオケ装置３０を利用する利用者の範囲が狭まることから、より適応性の高い宣伝効果映像を再生表示させるできるもので、より宣伝効果を向上させることができるものである。また、上記同様に、宣伝効果映像の表示時間帯の要望やコストに見合った時間帯で、オペレータを煩わすことなく実情に即して宣伝効果映像を表示させることができるものである。
【００４９】
次に、図１１に、本発明に係るカラオケシステムにおけるカラオケ演奏端末の第３実施形態におけるブロック構成図を示す。この第３実施形態は、上記第１実施形態に対応させたものであるが、上記第２実施形態においても対応させることもできるものである。
【００５０】
図１１（Ａ）はカラオケ装置３０のバス３１に追加的な構成部分のブロック図であり、図１１（Ｂ）は制御手段に付加されるブロック構成図である。すなわち、図１１（Ａ）に示すようにカラオケ演奏端末１４におけるカラオケ装置３０には、別に通常楽曲映像ＤＢ８１を備えさせ、図１１（Ｂ）に示すように制御手段３２の映像抽出処理手段５２に映像選択手段８２を備えさせたものである。
【００５１】
上記通常楽曲映像ＤＢ８１は、例えばハードディスク（ＨＤＤ）等の記憶装置であり、少なくとも、楽曲コードに関連付けられた宣伝アイテムを含まない通常の楽曲映像の背景映像データ（ファイル）を所定数格納するもので、上記楽曲ＤＢ３７との関連からいえば、当該楽曲コードで抽出される楽曲データが再生される際に、同期して背景映像として再生されるものである。
【００５２】
上記映像抽出処理手段５２の映像選択手段８２は、利用者に歌唱中の背景映像として上記宣伝アイテムを含まない楽曲映像か上記宣伝効果映像かを選択させるものである。すなわち、映像抽出処理手段５２は、選択された楽曲に対応する楽曲コードにおける利用者が選択した上記通常楽曲映像若しくは上述のように特定された宣伝効果映像を、通常楽曲映像ＤＢ８１又は宣伝効果映像ＤＢ３８より抽出して利用者の歌唱中の歌詞文字データが表示されている表示手段４１上に背景映像として表示させるものである。
【００５３】
そこで、図１２に、図１１における映像選択の処理フローチャートを示す。図１２において、まず、映像抽出処理手段５２において端末管理サーバ１３から送出されてきた図５（Ｂ）に示すような第２テーブル６２を取得していることを前提とし、遠隔入出力端末４５により当該利用者による楽曲の選択要求があり、楽曲の選択が終了すると（Ｓ４１）、表示させる背景映像として宣伝アイテムを含まない通常の楽曲映像か、宣伝効果映像かを選択させる表示を表示ファイル作成手段５１に作成させて遠隔入出力端末４５に表示させる（Ｓ４２）。
【００５４】
上記選択表示において（Ｓ４３）、利用者が宣伝アイテムを含まない通常の楽曲映像を選択する信号を入力した場合には（Ｓ４４）、予約管理記憶部３４が当該通常楽曲映像を当該選択された楽曲コードに基づいて通常楽曲映像ＤＢ８１より楽曲名を読み出し、当該通常楽曲映像ファイルと楽曲コード（楽曲名）とを関連付けて記憶する（Ｓ４５）。
【００５５】
一方、上記選択表示において（Ｓ４３）、利用者が宣伝アイテムを組み込ませた宣伝効果映像を選択する信号を入力した場合には（Ｓ４６）、予約管理記憶部３４が当該宣伝効果映像を当該選択された楽曲コードに基づいて宣伝効果映像ＤＢ３８より楽曲名を読み出し、当該宣伝効果映像ファイルと楽曲コード（楽曲名）とを関連付けて記憶する（Ｓ４７）。
【００５６】
そして、選択された楽曲データの再生の際に、対応の楽曲データを楽曲ＤＢ３７より抽出させて音楽曲出力手段３５及び再生制御手段３６に送出させて再生させると共に、当該再生に同期させて通常楽曲映像ＤＢ８１から抽出した楽曲映像ファイル又は宣伝効果映像ＤＢ３８より抽出した宣伝効果映像のファイルデータ再生制御手段３６に送出させて再生させるものである（Ｓ４８）。
【００５７】
このように、利用者に宣伝アイテムを含まない通常の楽曲映像か宣伝効果映像かを選択させることにより、宣伝効果映像を好まない利用者に対してカラオケ利用の興味を減退させることを防止させることができるものである。一方で、宣伝効果映像が選択された場合には、上記同様に歌唱中であっても宣伝効果映像の内容を同伴者等の利用者に視聴させて宣伝効果を向上させると共に、宣伝効果映像の表示時間帯の要望やコストに見合った時間帯で、オペレータを煩わすことなく実情に即して宣伝効果映像を表示させることができるものである。
【００５８】
ところで、上記各実施形態では、各楽曲の演奏される時間のデータを収集する場合として、所定期間中のそれぞれ一日単位を対象とした場合を示したが、所定期間中の各曜日におけるそれぞれの一日単位を対象としてもよい。例えば、金曜日のみにおける時間帯、土曜日のみにおける時間帯や、各曜日の全部又は一部における時間帯としてもよいものである。また、上記実施形態では、利用者が楽曲を選択した時間から時間帯を特定して対応の宣伝効果映像を特定した場合を示したが、この構成に限らず、利用者が楽曲を選択した時点では宣伝効果映像を特定せずに、選択楽曲が演奏されるときの時間から時間帯を特定して対応の宣伝効果映像を特定して放映することとしてもよい。
【産業上の利用可能性】
【００５９】
本発明のカラオケシステムは、利用者のカラオケによる歌唱の際に選択された宣伝効果映像を表示出力する場合に適する。
【図面の簡単な説明】
【００６０】
【図１】本発明に係るカラオケシステムにおける第１実施形態のネットワーク接続状況の模式図及び端末管理サーバのブロック構成図である。
【図２】図１のカラオケ演奏端末のブロック構成図である。
【図３】図２の制御手段のブロック構成図である。
【図４】図１の端末管理サーバで作成される時間帯別ランクテーブルの説明図である。
【図５】制御手段の備える映像抽出処理手段の第１テーブル及び第２テーブルの一例の説明図である。
【図６】図５の第１テーブル作成の一例の説明図である。
【図７】図１の端末管理サーバにおける時間帯別ランクテーブル作成の処理フローチャートである。
【図８】図２のカラオケ演奏端末における宣伝効果映像再生の処理フローチャートである。
【図９】本発明に係るカラオケシステムにおけるカラオケ演奏端末の第２実施形態における制御手段のブロック構成図である。
【図１０】図９の制御手段における第２テーブル作成の処理フローチャートである。
【図１１】本発明に係るカラオケシステムにおけるカラオケ演奏端末の第３実施形態におけるブロック構成図である。
【図１２】図１１における映像選択の処理フローチャートである。
【符号の説明】
【００６１】
１１            カラオケホスト装置
１２            通信ネットワーク
１３            端末管理サーバ
１４            カラオケ演奏端末
２３            時間帯別ランクテーブル作成手段
３０            カラオケ装置
３７            楽曲ＤＢ
３８            宣伝効果映像ＤＢ
５２            映像抽出処理手段
６１            第１テーブル
６２            第２テーブル
６３            時間帯判別手段
６４            映像特定手段
７１            演奏楽曲データ収集記憶手段
７２            テーブル作成手段
８１            通常楽曲映像ＤＢ
８２            映像選択手段
【図１】
0004420905.tif 000002
【図２】
0004420905.tif 000003
【図３】
0004420905.tif 000004
【図４】
0004420905.tif 000005
【図５】
0004420905.tif 000006
【図６】
0004420905.tif 000007
【図７】
0004420905.tif 000008
【図８】
0004420905.tif 000009
【図９】
0004420905.tif 000010
【図１０】
0004420905.tif 000011
【図１１】
0004420905.tif 000012
【図１２】
0004420905.tif 000013